(57)【要約】【課題】複数の人が使用する画像処理装置の作業性をより向上させる情報処理装置を提供することを目的とする。【解決手段】当該情報処理装置１にログインした所定のユーザが使用可能な情報処理装置１であって、前記所定のユーザにより実行中のジョブを、前記所定のユーザがログオフした場合にも継続して実行するように制御するジョブ制御手段１０６を有することを特徴とする情報処理装置１。【選択図】図２
2009010658.tif 000002
【特許請求の範囲】
【請求項１】
当該情報処理装置にログインした所定のユーザが使用可能な情報処理装置であって、
前記所定のユーザにより実行中のジョブを、前記所定のユーザがログオフした場合にも継続して実行するように制御するジョブ制御手段を有することを特徴とする情報処理装置。
【請求項２】
前記ジョブ制御手段は、さらに、前記所定のユーザがログオフして該所定のユーザと異なる別のユーザがログインした場合、前記別のユーザによる前記実行中のジョブの制御を禁止することを特徴とする請求項１に記載の情報処理装置。
【請求項３】
前記ジョブ制御手段は、さらに、前記所定のユーザがログオフして該所定のユーザが再びログインした場合、前記所定のユーザによる前記実行中のジョブの制御を許可することを特徴とする請求項１又は２に記載の情報処理装置。
【請求項４】
リムーバブルメモリメディアリーダー又はリムーバブルメディアライターを搭載し、
前記所定のユーザにより実行中のジョブは、前記リムーバブルメモリメディアリーダー又はリムーバブルメディアライターに装着された携帯型記憶媒体に対する情報の書き込み又は読み出しであることを特徴とする請求項１乃至３のいずれか一項に記載の情報処理装置。
【請求項５】
前記携帯型記憶媒体に対する情報の書き込み又は読み出しを制御するメディアアクセス制御手段と、
前記携帯型記憶媒体に対する情報の書き込み又は読み出しを実行中のユーザ情報を保持するアクセスユーザ情報保持手段とを有し、
前記メディアアクセス制御手段は、前記アクセスユーザ情報保持手段により保持されたユーザ情報と当該情報処理装置にログインしているユーザの情報に応じて、前記携帯型記憶媒体に対する情報の書き込み又は読み出しを制御することを特徴とする請求項４に記載の情報処理装置。
【請求項６】
前記メディアアクセス制御手段は、前記アクセスユーザ情報保持手段により前記所定のユーザの情報が保持され、且つ、当該情報処理装置に該所定のユーザと異なる別のユーザがログインした場合、前記携帯型記憶媒体に対する前記別のユーザによる情報の書き込み又は読み出しを禁止することを特徴とする請求項５に記載の情報処理装置。
【請求項７】
前記別のユーザによる前記携帯型記憶媒体に対する情報の書き込み又は読み出しが禁止されていることを表示して通知する表示制御手段を有することを特徴とする請求項６に記載の情報処理装置。
【請求項８】
前記メディアアクセス制御手段は、前記アクセスユーザ情報保持手段により前記所定のユーザの情報が保持され、且つ、当該情報処理装置に該所定のユーザがログインした場合、前記携帯型記憶媒体に対する前記所定のユーザによる情報の書き込み又は読み出しを許可することを特徴とする請求項６又は７に記載の情報処理装置。
【請求項９】
前記携帯型記憶媒体を覆う開閉カバーと、少なくとも前記携帯型記憶媒体に対する情報の書き込み中又は情報の読み出し中は該開閉カバーが開けられるのを阻止する開き動作阻止手段とを有し、
前記開き動作阻止手段は、前記所定のユーザにより前記携帯型記憶媒体に対する情報の書き込み又は読み出しの実行中には、前記開閉カバーが開けられるのを阻止することを特徴とする請求項４乃至８のいずれか一項に記載の情報処理装置。
【請求項１０】
前記開き動作阻止手段は、前記アクセスユーザ情報保持手段により保持されたユーザ情報と当該情報処理装置にログインしているユーザの情報に応じて、前記開閉カバーの空けられるのを阻止する動作を制御することを特徴とする請求項９に記載の情報処理装置。
【請求項１１】
前記開き動作阻止手段は、前記アクセスユーザ情報保持手段により前記所定のユーザの情報が保持され、且つ、当該情報処理装置に該所定のユーザと異なる別のユーザがログインした場合、前記開閉カバーが開けられるのを阻止することを特徴とする請求項１０に記載の情報処理装置。
【請求項１２】
前記別のユーザによる前記開閉カバーの開閉が禁止されていることを表示して通知する表示制御手段を有することを特徴とする請求項１１に記載の情報処理装置。
【請求項１３】
前記開き動作阻止手段は、前記アクセスユーザ情報保持手段により前記所定のユーザの情報が保持され、且つ、当該情報処理装置に該所定のユーザがログインした場合、前記開閉カバーが開けられるのを許可することを特徴とする請求項９乃至１２のいずれか一項に記載の情報処理装置。
【発明の詳細な説明】
【技術分野】
【０００１】
本発明は、情報処理装置に関する。
【背景技術】
【０００２】
近年、小型の携帯型記憶媒体（リムーバブルメモリメディア）が普及し、文書や撮影した画像等の記憶手段として利用されている。このようなリムーバブルメモリメディアとしては、例えば、スマートメディア、ＤＶＤ（Didital Video Disk）、ＣＤ−Ｒ（Compact Disc Recordable）、ＣＤ―ＲＷ（Compact Disc Rewritable）、コンパクトフラッシュ（登録商標）、マルチメディアカード（ＭＭＣ）、ＳＤカード（Secure Digital）、メモリスティック等の各種記憶メディアがある。これらの記憶メディアに記憶されたデータを読み込んで所定枚数の画像出力をするプリント機能を備えた画像処理装置が店舗等に設置され、一般に使用可能になってきている。
【０００３】
一方、記憶メディアをメディアインターフェースに着脱可能に装着してデータの入出力を行う場合、途中で記憶メディアの脱落や引き抜き等が発生するのを防止するために、メディアインターフェース部に開閉型のカバーを取り付ける例がある。例えば、デジタルカメラ等の撮像装置で撮影された写真画像の画像データを記憶する記憶メディアが挿入口から挿入されると読み取って印刷出力する画像プリント装置で当該挿入口に開閉自在のカバーを設けた画像プリント装置の例がある（例えば、特許文献１、２参照）。
【０００４】
画像処理装置としては、コピー機能、ファクシミリ機能（ＦＡＸ機能）、プリント機能及びスキャナー機能を複合したＭＦＰ（Multi Function Peripheral）と称されるデジタル複合機が提供されている。
【０００５】
また、上記のように記憶メディアの脱落や引き抜き等が発生するのを防止するために、メディアインターフェース部に開閉型のカバーを取り付ける例があるが、該カバーを開けることによりアクセス中でも簡単に記憶メディアの取り外しが行われてしまう可能性がある。
【０００６】
そのため、一定の場合に携帯型記憶媒体を覆う開閉カバーを自由に開けることができないように、携帯型記憶媒体に対する情報の書き込み又は情報の読み出し中など、アクセス中での携帯型記憶媒体の抜き取りを禁止し、データ破損やＯＳの動作に支障をきたさないようにした画像処理装置、画像処理装置の使用方法の例がある（例えば、特許文献３参照）。
【特許文献１】特許第２８３８７３１号公報
【特許文献２】特開２００２―３００３３４号公報
【特許文献３】特開２００７―１１０７００号公報
【発明の開示】
【発明が解決しようとする課題】
【０００７】
ところで、一般的に、学校、会社などにおいてＭＦＰなどの画像処理装置は複数の人によって共用されることが想定される。この点を考慮して、特許文献３に開示された発明では、画像処理装置にログインしたユーザのみが画像処理装置を使用することができるようにしている。つまり、ログインした特定のユーザが画像処理装置を使用している間は、他のユーザはこれを使用することができないようにしている。
【０００８】
しかしながら、例えば、画像処理装置にログインした特定のユーザが携帯型記憶媒体に対する情報の書き込み又は情報の読み出しを開始すると、情報の書き込み又は情報の読み出しが完了するまで、他のユーザは使用できない。そのため、他のユーザが画像処理装置のその他のコピー、スキャナなどの機能を使用したい場合でもこれを使用できなくなり、画像処理装置の作業性がよくなかった。即ち、複数の人が使用する画像処理装置などの情報処理装置の作業性の更なる向上が望まれるという問題があった。
【０００９】
本発明は、上記の点に鑑みて、この問題を解決するために発明されたものであり、複数の人が使用する情報処理装置の作業性をより向上させる情報処理装置を提供することを目的とする。
【課題を解決するための手段】
【００１０】
上記の目的を達成するために、本発明の情報処理装置は、当該情報処理装置にログインした所定のユーザが使用可能な情報処理装置であって、前記所定のユーザにより実行中のジョブを、前記所定のユーザがログオフした場合にも継続して実行するように制御するジョブ制御手段を有するように構成することができる。
【００１１】
また、上記の目的を達成するために、本発明の前記ジョブ制御手段は、さらに、前記所定のユーザがログオフして該所定のユーザと異なる別のユーザがログインした場合、前記別のユーザによる前記実行中のジョブの制御を禁止するように構成することができる。
【００１２】
また、上記の目的を達成するために、本発明の前記ジョブ制御手段は、さらに、前記所定のユーザがログオフして該所定のユーザが再びログインした場合、前記所定のユーザによる前記実行中のジョブの制御を許可するように構成することができる。
【００１３】
また、上記の目的を達成するために、本発明の情報処理装置は、リムーバブルメモリメディアリーダー又はリムーバブルメディアライターを搭載し、前記所定のユーザにより実行中のジョブは、前記リムーバブルメモリメディアリーダー又はリムーバブルメディアライターに装着された携帯型記憶媒体に対する情報の書き込み又は読み出しであるように構成することができる。
【００１４】
また、上記の目的を達成するために、本発明の情報処理装置は、前記携帯型記憶媒体に対する情報の書き込み又は読み出しを制御するメディアアクセス制御手段と、前記携帯型記憶媒体に対する情報の書き込み又は読み出しを実行中のユーザ情報を保持するアクセスユーザ情報保持手段とを有し、前記メディアアクセス制御手段は、前記アクセスユーザ情報保持手段により保持されたユーザ情報と当該情報処理装置にログインしているユーザの情報に応じて、前記携帯型記憶媒体に対する情報の書き込み又は読み出しを制御するように構成することができる。
【００１５】
また、上記の目的を達成するために、本発明の前記メディアアクセス制御手段は、前記アクセスユーザ情報保持手段により前記所定のユーザの情報が保持され、且つ、当該情報処理装置に該所定のユーザと異なる別のユーザがログインした場合、前記携帯型記憶媒体に対する前記別のユーザによる情報の書き込み又は読み出しを禁止するように構成することができる。
【００１６】
また、上記の目的を達成するために、本発明の情報処理装置は、前記別のユーザによる前記携帯型記憶媒体に対する情報の書き込み又は読み出しが禁止されていることを表示して通知する表示制御手段を有するように構成することができる。
【００１７】
また、上記の目的を達成するために、本発明の前記メディアアクセス制御手段は、前記アクセスユーザ情報保持手段により前記所定のユーザの情報が保持され、且つ、当該情報処理装置に該所定のユーザがログインした場合、前記携帯型記憶媒体に対する前記所定のユーザによる情報の書き込み又は読み出しを許可するように構成することができる。
【００１８】
また、上記の目的を達成するために、本発明の情報処理装置は、前記携帯型記憶媒体を覆う開閉カバーと、少なくとも前記携帯型記憶媒体に対する情報の書き込み中又は情報の読み出し中は該開閉カバーが開けられるのを阻止する開き動作阻止手段とを有し、前記開き動作阻止手段は、前記所定のユーザにより前記携帯型記憶媒体に対する情報の書き込み又は読み出しの実行中には、前記開閉カバーが開けられるのを阻止するように構成することができる。
【００１９】
また、上記の目的を達成するために、本発明の前記開き動作阻止手段は、前記アクセスユーザ情報保持手段により保持されたユーザ情報と当該情報処理装置にログインしているユーザの情報に応じて、前記開閉カバーの空けられるのを阻止する動作を制御するように構成することができる。
【００２０】
また、上記の目的を達成するために、本発明の前記開き動作阻止手段は、前記アクセスユーザ情報保持手段により前記所定のユーザの情報が保持され、且つ、当該情報処理装置に該所定のユーザと異なる別のユーザがログインした場合、前記開閉カバーが開けられるのを阻止するように構成することができる。
【００２１】
また、上記の目的を達成するために、本発明の情報処理装置は、前記別のユーザによる前記開閉カバーの開閉が禁止されていることを表示して通知する表示制御手段を有するように構成することができる。
【００２２】
また、上記の目的を達成するために、本発明の前記開き動作阻止手段は、前記アクセスユーザ情報保持手段により前記所定のユーザの情報が保持され、且つ、当該情報処理装置に該所定のユーザがログインした場合、前記開閉カバーが開けられるのを許可するように構成することができる。
【発明の効果】
【００２３】
本発明によれば、複数の人が使用する情報処理装置の作業性をより向上させることができる。
【発明を実施するための最良の形態】
【００２４】
以下、本発明を実施するための最良の形態について図面を参照して説明する。
【００２５】
［実施の形態］
（装置の構成）
図１は、本発明の実施形態におけるデジタル複写機の概略構成を示すブロック図である。なお、本実施形態においては情報処理装置の一例として、デジタル複写機を例に説明するがこの場合に限らない。一般的なＰＣ（Ｐｅｒｓｏｎａｌ  Ｃｏｍｐｕｔｅｒ）などのコンピュータ装置に対しても適用可能である。
【００２６】
図１において、デジタル複写機１は、外部記憶装置１４、第１の外部メディア入出力装置１５Ａ、第２の外部メディア入出力装置１５Ｂ（以降、総称して外部メディア入出力装置（リムーバブルメディアリーダー又はリムーバブルメディアライター）１５とする。）、カバーロック機構１６、印刷装置１７、画像読取装置１８、表示装置１８、入力装置２０などとバスなどを介して接続されている。
【００２７】
また、ＦＡＸ回線２１を介して他のファクシミリ装置とファクシミリデータの授受を行ったり、インターネット２２とモデム、ルータ等の通信制御ユニット２３を介して外部機器と接続するとともに、有線，無線等によりパーソナルコンピュータ（以下、ＰＣという）２４，サーバーコンピュータ（以下、サーバーという）２５と接続して情報の授受を行ったりする。
【００２８】
デジタル複写機１は、当該デジタル複写機１に接続された上記の各種装置などを制御するための非図示のＣＰＵ（Central Processing Unit）、ＲＯＭ(Read Only Memory)やＲＡＭ(Random Access Memory)などから構成されるメモリユニット、ＦＡＸ制御部、ＬＡＮ制御部、入出力デバイス制御ユニット、記憶装置制御ユニット、画像処理制御ユニット、入力制御ユニットを備えている。さらに、記憶装置制御ユニットに接続された内蔵ハードディスクドライブ（以下、ＨＤＤという）などで構成される記憶装置、画像処理制御ユニットに接続された印刷制御ユニット，画像読取制御ユニット，表示制御ユニットなどを有している。
【００２９】
外部記憶装置１４は、外付けＨＤＤ（Hard Disk Drive）等の記憶装置である。外部メディア入出力装置１５は、マルチメディアカード（登録商標），スマートメディア（登録商標），メモリスティック（登録商標），ＳＤメモリカード（登録商標），ＣＤ−ＲＯＭ，フロッピー（登録商標）ディスク，ＵＳＢメモリ（登録商標）などの各メディアから情報の入出力を行うための入出力装置である。
【００３０】
なお、本実施形態において、第１の外部メディア入出力装置１５Ａは例えばデジタル複写機１に外付けで搭載されたメディア入出力装置であり、ユーザは共有してこれを使用することができる。一方、第２の外部メディア入出力装置１５Ｂは非図示の自由に開閉できない開閉カバー（後述のカバーロック機構１６により制御される）により自身に接続された携帯型記憶媒体が覆われたメディア入出力装置であり、画像処理装置１にログインしたユーザがこれを排他的に使用することができる。なお、第２の外部メディア入出力装置１５Ｂは、特開２００７―１１０７００号公報に開示された従来技術などを用いるものとする。
【００３１】
カバーロック機構１６は、ここでは第２の外部メディア入出力装置１５Ｂに接続された携帯型記憶媒体を覆う開閉カバーを自由に開けることができないように、携帯型記憶媒体に対する情報の書き込み又は情報の読み出し中など、アクセス中での携帯型記憶媒体の抜き取りを禁止し、データ破損やＯＳの動作に支障をきたさないようにするロック機構である。なお、カバーロック機構１６は、特開２００７―１１０７００号公報に開示された従来技術などを用いるものとする。
【００３２】
印刷装置１７は、モノクロ，カラー，両面印刷が可能な、レーザープリンタ，インクジェットプリンタなどで構成される出力装置である。画像読取装置１８は、光学的処理等により原稿画像を電子データとして読み取る装置である。表示装置１９は、タッチパネル，ＣＲＴ，液晶などで構成される出力装置である。
【００３３】
入力装置２０は、タッチパネルやキーボタンで構成される入力のための装置である。またマイクで構成される音声による入力のための装置であってもよい。
【００３４】
以上で示されるように、本実施形態のデジタル複写機１は、当該デジタル複写機１に接続された（或いは、含まれる）上記の各種装置などを制御する。
【００３５】
また、当該デジタル複写機１にログインした特定のユーザが使用可能なデジタル複写機１であり、特定のユーザにより実行中のジョブ（例えば第２の外部メディア入出力装置１５Ｂを用いての携帯型記憶媒体に対する情報の書き込み又は情報の読み出し、などのデジタル複写機１の各種機能）を、特定のユーザがログオフした場合にも継続して実行するように制御する。即ち、当該デジタル複写機１にログインした特定のユーザが使用可能なデジタル複写機１の機能を実行中でも、当該ユーザはログオフすることができる。
【００３６】
これにより、複数の人が使用する画像処理装置の作業性をより向上させる。その具体的構成などについては図２等を参照して後述する。
【００３７】
（機能の構成）
図２は、本発明の実施形態におけるデジタル複写機の機能構成の一例を示すブロック図である。なお、図２に示す各ブロック間を結ぶ矢印は代表的な信号の流れを表すものであって、各ブロックの機能を限定するものではない。
【００３８】
図２において、デジタル複写機１は、入力制御部１０１、表示制御部１０２、ログイン／ログオフ検知部１０３、ユーザ情報管理部１０４、セッション管理部１０５、ジョブ制御部１０６、ジョブ管理部１０７、メディアアクセス制御部１０８、ロック制御部１０９、アクセスユーザ情報管理部１１０を有する。
【００３９】
入力制御部１０１は、各種入力動作に係る制御を行う。例えば入力装置２０におけるユーザ名・パスワードなどの入力により、当該デジタル複写機１へのログイン情報を入力する。表示制御部１０２は、各種表示動作に係る制御を行う。例えば表示装置１９に表示させる画面表示内容などを制御する。
【００４０】
ログイン／ログオフ検知部１０３は、当該デジタル複写機１へのログイン／ログオフを検知する。例えば入力制御部１０１におけるユーザ名・パスワードなどの入力とユーザ情報管理部１０４により管理される当該デジタル複写機１の登録ユーザ情報とを比較することにより、ログイン／ログオフを検知する。つまり、ユーザ認証を行う認証部と同義である。なお、登録ユーザ情報とは、予めデジタル複写機１を使用可能なユーザとして登録されたユーザ名・パスワードなどを含むユーザ情報である。
【００４１】
セッション管理部１０５は、デジタル複写機１の各種セッションを管理する。ここでのセッションとは、ユーザ毎に用意された個人メニューなどを示している。即ち、ログイン／ログオフ検知部１０３によりログイン／ログオフが検知されたユーザに対応付けられた個人メニューを管理する。これにより、ログインしたユーザはデジタル複写機１の各種機能を専有して使用することができる。ログインしたユーザがいない場合にはユーザ共通のゲストメニューを管理するようにすることもできる。また、例えば表示制御部１０２に対してログインしたユーザの個人メニューの画面表示指示などを行う。
【００４２】
ジョブ制御部１０６は、デジタル複写機１において実行される各種ジョブを制御する。ここでのジョブとは、例えば外部メディア入出力装置１５に装着された携帯型記憶媒体に対する情報の書き込み又は読み出しを行うジョブ、印刷出力を行うジョブ、読み取りを行うジョブ、ネットワーク通信を行うジョブなどである。厳密には、ユーザによるジョブ実行指示等に基づいて生成された各種ジョブはジョブ管理部１０７により管理され、ジョブ制御部１０６はジョブ管理部１０７により管理される各種ジョブを制御する。また、ジョブが外部メディア入出力装置１５に装着された携帯型記憶媒体に対する情報の書き込み又は読み出しである場合には、後述のメディアアクセス制御部１０８にその旨の指示を行う。
【００４３】
メディアアクセス制御部１０８は、外部メディア入出力装置１５に装着された携帯型記憶媒体に対する情報の書き込み又は読み出しに係る各種アクセス制御を行う。外部メディア入出力装置１５が第１の外部メディア入出力装置１５Ａである場合、第２の外部メディア入出力装置１５Ｂである場合の動作を以下、簡単に説明する。
【００４４】
第１の外部メディア入出力装置１５Ａは、前述したようにユーザが共有して使用することができる装置である。例えばジョブ制御部１０６から携帯型記憶媒体に対する情報の書き込み又は読み出しの指示を受けたとき、メディアアクセス制御部１０８は、その指示に応じて情報の書き込み又は読み出しを行う。
【００４５】
一方、第２の外部メディア入出力装置１５Ｂは、前述したようにログインしたユーザが排他的に使用することができる装置である。例えばジョブ制御部１０６から携帯型記憶媒体に対する情報の書き込み又は読み出しの指示を受けたとき、指示を行ったユーザ（セッション管理部１０５から取得）と異なるユーザ（後述のアクセスユーザ情報管理部１１０から取得）により情報の書き込み又は読み出しが実行中である場合、情報の書き込み又は読み出しを禁止するなどの排他制御を行う。この場合にはさらに、情報の書き込み又は読み出しが禁止されていることを表示する指示を表示制御部１０２に対して送るなどの処理も行う。このようにして、情報の書き込み又は読み出しを実行中のユーザ情報とデジタル複写機１にログインしているユーザ情報に応じて、携帯型記憶媒体に対する情報の書き込み又は読み出しを制御する。
【００４６】
ロック制御部１０９は、第２の外部メディア入出力装置１５Ｂに接続された携帯型記憶媒体を覆う開閉カバーをロックするカバーロック機構１６のロック・アンロックの制御などを行う。例えば、少なくとも携帯型記憶媒体に対する情報の書き込み中又は情報の読み出し中は該開閉カバーが開けられるのをカバーロック機構１６により阻止する。このように、開閉カバー開き動作阻止手段としての機能をもつ。
【００４７】
例えば、ジョブ制御部１０６からメディアアクセス制御部１０８を介して携帯型記憶媒体に対する情報の書き込み又は読み出しの指示を受けたとき、カバーロック機構がアンロックされていない場合には、指示を行ったユーザ情報をアクセスユーザ情報管理部１１０により管理すると共にカバーロック機構１６をロックして携帯型記憶媒体に対する情報の書き込み又は読み出しを開始する。なお、情報の書き込み又は読み出しが終了すると、ロックは解除されアンロックされる。また、以降、このような情報の書き込み又は読み出しを実行中のユーザをアクセスユーザとする。
【００４８】
また、カバーロック機構１６がロックされている場合には、以下のようになる。指示を行ったユーザと異なるユーザ情報がアクセスユーザ情報管理部１１０により管理されている（即ち、他のユーザによる情報の書き込み又は読み出しが実行中である）場合には、指示を行ったユーザによる情報の書き込み又は読み出しを禁止する。
【００４９】
一方、指示を行ったユーザと同一のユーザ情報がアクセスユーザ情報管理部１１０により管理されている（即ち、同一のユーザによる情報の書き込み又は読み出しが実行中である）場合には、指示を行ったユーザによる情報の書き込み又は読み出しを許可する。なお、情報の書き込み又は読み出しが終了すると、ロックは解除されアンロックされる。
【００５０】
このようにして、ロック制御部１０９は、第２の外部メディア入出力装置１５Ｂに対する情報の書き込み又は読み出しの制御、並びに、カバーロック機構１６のロック・アンロックの制御などを行う。
【００５１】
以上の機能の構成により、デジタル複写機１では、当該デジタル複写機１にログインした特定のユーザが使用可能なデジタル複写機１であって、特定のユーザにより実行中のジョブを、特定のユーザがログオフした場合にも継続して実行するように制御する。そのため、複数の人が使用する画像処理装置の作業性をより向上させることができる。
【００５２】
（動作の例）
図３は、本発明の実施形態におけるデジタル複写機の動作の一例を示すシーケンス図である。ここでは、図２で示したブロック図の各部間の動作の一例について図３を参照して説明する。
【００５３】
まず、所定のユーザがデジタル複写機１にログインした場合に、デジタル複写機１がログインした所定のユーザに用意された個人メニュー画面を表示する処理についてステップＳ１〜Ｓ８を用いて説明する。
【００５４】
ステップＳ１では、入力制御部１０１は、ログインしたユーザ情報を入力する（Ｓ１）。ここでは、入力装置２０におけるユーザによるユーザ名・パスワードなどの入力により、当該デジタル複写機１へのログイン情報を入力する。続いてステップＳ２へ移って、入力制御部１０１は、入力されたログイン情報を、表示制御部１０２を介してログイン／ログオフ検知部１０３に対して送信する（Ｓ２）。
【００５５】
ステップＳ３へ移って、ログイン情報を受信したログイン／ログオフ検知部１０３は、ログイン情報とユーザ情報管理部１０４により管理される当該デジタル複写機１の登録ユーザ情報とを比較することにより、ログインを検知する（Ｓ３）。続いてステップＳ４へ移って、ログイン／ログオフ検知部１０３は、ログインしたユーザ情報をセッション管理部１０５に対して送信する（Ｓ４）。
【００５６】
ステップＳ５へ移って、セッション管理部１０５は、ステップＳ４で受信したログインしたユーザ情報に対応付けられたセッションを開始する（Ｓ５）。具体的には、ログインしたユーザに予め用意された個人メニューを開始する。これにより、ログインしたユーザはデジタル複写機１の各種機能を専有して使用することができる。
【００５７】
さらにステップＳ６へ移って、セッション管理部１０５は、ログインしたユーザの個人メニューの画面表示指示を生成し（Ｓ６）、該指示を表示制御部１０２に対して送信する（Ｓ７）。
【００５８】
ステップＳ８へ移って、画面表示指示を受信した表示制御部１０２は該指示に基づいてログインしたユーザ用のセッション画面表示を行う（Ｓ８）。図４は、ログインしたユーザ用のセッション画面の一例である。
【００５９】
図４の画面上で、ログインしたユーザは、例えば紙原稿ボタンを押下することによりデジタル複写機１のスキャナ機能を使用したり、メディア文書ボタンを押下することによりデジタル複写機１に搭載された外部メディア入出力装置１５を用いた情報の書き込み又は読み出しなどのメディア文書機能を使用したり、蓄積文書ボタンを押下することによりデジタル複写機１に蓄積された文書を扱うなどの蓄積文書機能を使用したりすることができる。
【００６０】
続いて、ログインしたユーザが図４の画面上でメディア文書ボタンを押下した場合の動作、即ち、デジタル複写機１にログインした所定のユーザがデジタル複写機１のメディア文書機能を使用する際の動作についてステップＳ９〜Ｓ１５を用いて説明する。
【００６１】
ステップＳ９では、入力制御部１０１は、メディア情報表示指示を入力する（Ｓ９）。ここでは、入力装置２０におけるユーザによるメディア文書ボタンの押下により、当該デジタル複写機１へのメディア情報表示指示を入力する。ここでのメディア情報とは、例えばログインしたユーザが外部メディア入出力装置１５に対してメディアアクセスが可能であるか否かの情報である。
【００６２】
続いてステップＳ１０へ移って、入力制御部１０１は、入力されたメディア情報表示指示を表示制御部１０２に対して送信する（Ｓ１０）。ステップＳ１１へ移って、メディア情報表示指示を受信した表示制御部１０２は、該指示に基づいてメディア情報の取得指示を生成し（Ｓ１１）、生成したメディア情報の取得指示をメディアアクセス制御部１０８に対して送信する（Ｓ１２）。
【００６３】
ステップＳ１３へ移って、メディア情報の取得指示を受信したメディアアクセス制御部１０８は、ロック制御部１０９と共にメディア情報の取得を行う（Ｓ１３）。ここではログインしたユーザが外部メディア入出力装置１５に対してメディアアクセスが可能であるか否かの情報を取得する。
【００６４】
具体的には、ログインしたユーザと異なる別のユーザ情報がアクセスユーザ情報管理部１１０により管理されている（即ち、他のユーザによる情報の書き込み又は読み出しが実行中である）場合には、メディアアクセスは不可である。一方、情報の書き込み又は読み出しのジョブが実行中ではない、或いは、ログインしたユーザと同一のユーザ情報がアクセスユーザ情報管理部１１０により管理されている（即ち、同一のユーザによる情報の書き込み又は読み出しが実行中である）場合には、メディアアクセスは可能である。
【００６５】
ステップＳ１４へ移って、メディアアクセス制御部１０８はステップＳ１３で取得したメディア情報を表示制御部１０２に対して送信する（Ｓ１４）。続いてステップＳ１５へ移って、メディア情報を受信した表示制御部１０２は、該指示に基づいてメディアアクセス可否の画面表示を行う（Ｓ１５）。図５は、メディアアクセス可否の表示画面の一例である。
【００６６】
図５では、第１の外部メディア入出力装置１５Ａは高輝度（カラー）表示され、第２の外部メディア入出力装置１５Ｂは低輝度（グレー）表示されている。これは、第１の外部メディア入出力装置１５Ａはメディアアクセス可能であり、第２の外部メディア入出力装置１５Ｂはメディアアクセス不可であることを示している。このように、メディアアクセス可能なものとメディアアクセス不可なものを識別して（ここでは高輝度と低輝度で識別しているがこのような表示方法には限らない）表示することにより、ログインしたユーザはメディアアクセス可否を視覚的に判断することができる。
【００６７】
なお、すでにカバーロック機構１６がロック中だったら、ロックをかけた同じユーザー以外ではその外部メディア入出力装置１５（或いは外部メディア入出力装置１５に装着された携帯型記憶媒体）を半輝度で表示してファイル選択を禁止することもできる。これにより、ジョブ実行後すぐに別にユーザーがログインできるようにすることができる。
【００６８】
続いて、ログインしたユーザが外部メディア入出力装置１５に装着された携帯型記憶媒体に対する情報の書き込み又は読み出しを行う場合の動作についてステップＳ１６〜Ｓ２２を用いて説明する。
【００６９】
ステップＳ１６では、入力制御部１０１はジョブ実行指示を入力する（Ｓ１６）。ここでは、入力装置２０においてユーザによる情報の書き込み又は読み出しのジョブ実行指示を入力する。このとき、書き込み又は読み出しの対象の情報（例えばファイル）がユーザにより選択され、選択された書き込み又は読み出しの対象の情報（例えばファイル）も入力する。
【００７０】
続いてステップＳ１７へ移って、入力制御部１０１は、入力されたジョブ実行指示を、表示制御部１０２及びセッション管理部１０５を介してジョブ制御部１０６に対して送信する（Ｓ１７）。
【００７１】
ステップＳ１８へ移って、ジョブ実行指示を受信したジョブ制御部１０６は、ジョブ（ここでは外部メディア入出力装置１５に装着された携帯型記憶媒体に対する情報の書き込み又は読み出しのジョブ）を生成し（Ｓ１８）、生成したジョブに基づく実行指示情報をメディアアクセス制御部１０８に対して送信する（Ｓ１９）。
【００７２】
続いてステップＳ２０へ移って、メディアアクセス制御部１０８は、受信した実行指示情報に応じて、外部メディア入出力装置１５並びにカバーロック機構１６に対する各種アクセス制御を行う（Ｓ２０）。ここでは、外部メディア入出力装置１５に装着された携帯型記憶媒体に対する情報の書き込み又は読み出し並びにカバーロック機構１６のロック・アンロックの制御などを行う。なお、ステップＳ２０及び後述のステップＳ２１〜Ｓ２４についての処理の詳細例については図６を用いて後述する。
【００７３】
ステップＳ２０において、例えば外部メディア入出力装置１５にアクセスできないなどの理由でジョブが実行できない場合のようにアクセス制御に係る各種状態に応じて、メディアアクセス制御部１０８はジョブ制御部１０６又は表示制御部１０２に対して各種指示（ジョブ不実行指示、表示指示など）を行う（Ｓ２１、Ｓ２３）。なお、詳細例については図６を用いて後述する。
【００７４】
ステップＳ２２へ移った場合、ジョブ制御部１０６はステップＳ２１で受信した指示に応じてジョブの制御を行う（Ｓ２２）。また、ステップＳ２４へ移った場合、表示制御部１０２は、ステップＳ２３で受信した指示に応じて表示制御を行う（Ｓ２４）。なお、詳細例については図６を用いて後述する。
【００７５】
以上の特にステップＳ１６〜Ｓ２３に係る処理により、デジタル複写機１にログインしたユーザが外部メディア入出力装置１５に装着された携帯型記憶媒体に対する情報の書き込み又は読み出しを行う。
【００７６】
（メディアアクセス制御）
図６は、メディアアクセス制御に係る動作の一例を示すフローチャート図である。図６を用いて、図５のステップＳ２０〜Ｓ２４に係る処理をより詳細に説明する。
【００７７】
ここでは、予め図５のステップＳ１８までの処理は終了しているものとして説明を行う。即ち、デジタル複写機１にログインしたユーザは、ここでは第２の外部メディア入出力装置１５Ｂに装着された携帯型記憶媒体に対する情報の書き込み又は読み出しの指示、及び、書き込み又は読み出し対象の情報を選択して入力しているものとして説明を行う。なお、以下の説明において各ブロック間の指示情報などの送受信については必要に応じて適宜行われているものとする。
【００７８】
まず、メディアアクセス制御部１０８は、ジョブ制御部１０６からジョブ実行指示情報を受信する（Ｓ１０１）。ここでの処理は図５のステップＳ１９と同様であるとして説明を省略する。
【００７９】
ステップＳ１０２へ移って、メディアアクセス制御部１０８は、セッション管理部１０５からログインしたユーザ情報を取得する（Ｓ１０２）。ここでは、デジタル複写機１に現にログインしているユーザ情報を取得する処理を行っている。
【００８０】
続いてステップＳ１０３へ移って、ロック制御部１０９は、第２の外部メディア入出力装置１５Ｂ或いはカバーロック機構１６がロック状態であるか否かを判定する（Ｓ１０３）。ここで第２の外部メディア入出力装置１５Ｂ或いはカバーロック機構１６がロック状態であることは、前述したように第２の外部メディア入出力装置１５Ｂに装着された携帯型記憶媒体に対する情報の書き込み又は読み出しを実行中であることと同義である。つまり、ステップＳ１０３では、情報の書き込み又は読み出しを実行中のユーザがいるか否かを判定している。なお、アクセスユーザ情報管理部１１０により管理されているユーザが存在するか否かにより判定することができる。
【００８１】
ステップＳ１０３において、ロック状態であるとき（Ｓ１０３、ＹＥＳ）、即ちアクセスユーザ情報管理部１１０により管理されているユーザが存在するとき、ステップＳ１０４へ移る。ロック状態ではないとき（Ｓ１０３、ＮＯ）、即ちアクセスユーザ情報管理部１１０により管理されているユーザが存在しないとき、ステップＳ１０９へ移る。
【００８２】
ステップＳ１０４へ移った場合、ロック制御部１０９は、ログインしたユーザとアクセスユーザは同一か否かを判定する（Ｓ１０４）。ここではステップＳ１０２で取得したログインしたユーザとアクセスユーザ情報管理部１１０により管理されているアクセスユーザが同一であるか否かにより判定する。
【００８３】
ステップＳ１０４においてログインしたユーザとアクセスユーザは同一である場合（Ｓ１０４、ＹＥＳ）、即ちジョブを実行中のユーザがログオフして再びログインした場合、ステップＳ１０５へ移る。ログインしたユーザとアクセスユーザは同一でない場合（Ｓ１０４、ＮＯ）、即ちジョブを実行中のユーザと異なる別のユーザがログインした場合、ステップＳ１０８へ移る。
【００８４】
ステップＳ１０５へ移った場合、メディアアクセス制御部１０８は実行中のジョブが終了したか否かを判定する（Ｓ１０５）。実行中のジョブが終了した場合（Ｓ１０５、ＹＥＳ）、ステップＳ１０６へ移る。実行中のジョブが終了していない場合（Ｓ１０５、ＮＯ）、ステップＳ１０５へ戻る。
【００８５】
なお、ステップＳ１０５では、ログインしたユーザは実行中のジョブを取り消すなどジョブ制御を行うことができる。また、ログインしたユーザはジョブの実行中にログオフすることもできるが、ジョブ制御部１０６はログインしたユーザがログオフした場合にも継続して実行するように制御する。
【００８６】
ステップＳ１０６へ移った場合、ロック制御部１０９は、第２の外部メディア入出力装置１５Ｂ及びカバーロック機構１６をアンロック状態にすると共にアクセスユーザ情報管理部１１０により管理されているアクセスユーザを消去する（Ｓ１０６）。
【００８７】
続いてステップＳ１０７へ移って、表示制御部１０２はロックが解除されたことを示すアンロックダイアログを表示する（Ｓ１０７）。図７(ｂ)は、アンロックダイアログの画面表示の一例である。
【００８８】
ステップＳ１０８へ移った場合、ジョブを実行中のユーザと異なる別のユーザがログインしたため、ジョブ制御部１０８は別のユーザにより指示されたジョブを消去する（Ｓ１０８）。
【００８９】
ステップＳ１０８に係る処理により、ジョブを実行中のユーザがログオフして該ジョブを実行中のユーザと異なる別のユーザがログインした場合、別のユーザによる該実行中のジョブの制御を禁止している。これにより、第２の外部メディア入出力装置１５Ｂにおける排他制御を実現している。このとき、別のユーザは該実行中のジョブ以外のジョブ（例えば、スキャナ機能、プリント機能など）を実行することはできる。そのため、複数の人が使用する情報処理装置の作業性をより向上させることができる。
【００９０】
ステップＳ１０９へ移った場合、ロック制御部１０９は、第２の外部メディア入出力装置１５Ｂ及びカバーロック機構１６をロック状態にすると共にログインしているユーザをアクセスユーザ情報管理部１１０に登録する（Ｓ１０９）。
【００９１】
なお、書き込み又は読み出し対象の情報の選択時は、ロックを解除しておき、ジョブ実行時だけロックをする。これにより、ジョブ実行前の書き込み又は読み出し対象の情報の選択時は、自由に携帯型記憶媒体を抜き差することができ、ジョブ実行中は安全に情報を読み書きできるようにしている。
【００９２】
また、書き込み又は読み出し対象の情報を選択後スタートすると、ジョブの携帯型記憶媒体に対する読み書きコマンドを解析してカバーロック機構１６をロックする。読み出しだけの場合は、携帯型記憶媒体の中の読み出し対象の情報を取り込んだらロックを解除する。書き込みを伴う場合は、書き込みが完了したらロックを解除する。
【００９３】
続いてステップＳ１１０へ移って、表示制御部１０２はロックされたことを示すロックダイアログを表示する（Ｓ１１０）。図７(ａ)は、ロックダイアログの画面表示の一例である。
【００９４】
続いてステップＳ１１１へ移って、メディアアクセス制御部１０８はジョブを実行する（Ｓ１１１）。ここでは、メディアアクセス制御部１０８は第２の外部メディア入出力装置１５Ｂに装着された携帯型記憶媒体に対する情報の書き込み又は読み出しを開始する。
【００９５】
ステップＳ１１２へ移った場合、メディアアクセス制御部１０８は実行中のジョブが終了したか否かを判定する（Ｓ１１２）。実行中のジョブが終了した場合（Ｓ１１２、ＹＥＳ）、ステップＳ１１３へ移る。実行中のジョブが終了していない場合（Ｓ１１２、ＮＯ）、ステップＳ１１２へ戻る。
【００９６】
なお、ステップＳ１１２では、ログインしたユーザは実行中のジョブを取り消すなどジョブ制御を行うことができる。また、ログインしたユーザはジョブの実行中にログオフすることもできるが、ジョブ制御部１０６はログインしたユーザがログオフした場合にも継続して実行するように制御する。
【００９７】
ステップＳ１１３へ移った場合、ロック制御部１０９は、第２の外部メディア入出力装置１５Ｂ及びカバーロック機構１６をアンロック状態にすると共にアクセスユーザ情報管理部１１０により管理されているアクセスユーザを消去する（Ｓ１１３）。
【００９８】
続いてステップＳ１１４へ移って、表示制御部１０２はロックが解除されたことを示すアンロックダイアログを表示する（Ｓ１１４）。図７(ｂ)は、アンロックダイアログの画面表示の一例である。
【００９９】
以上で示される処理により、当該デジタル複写機１にログインした特定のユーザが使用可能なデジタル複写機１であって、特定のユーザにより実行中のジョブを、特定のユーザがログオフした場合にも継続して実行するように制御する。
【０１００】
これにより、例えば、デジタル複写機１にログインした特定のユーザが携帯型記憶媒体に対する情報の書き込み又は情報の読み出しを実行中であっても、他のユーザがそれ以外のデジタル複写機１の機能を使用したい場合にこれを使用することができる。従って、複数の人が使用する情報処理装置の作業性をより向上させることができる。
【０１０１】
なお、カバーロック機構１６のロックは半開、全開の２段階スイッチをもたせるようにしてもよい。例えば、半開はロックが外れないが携帯型記憶媒体を取り出せない程度の開き具合、全開はロックが外れ携帯型記憶媒体を取り出せる開き具合としておく。これにより、強制ロック解除時の機械破壊を回避することができる。
【０１０２】
また、カバーロック機構１６のロック中に半開を検出したら、携帯型記憶媒体に対する情報の書き込み又は情報の読み出し処理は止めないが、警告ダイアログ（図８(ａ)参照）を表示して、ジョブを取り消すか継続するかを選ばせるようにすることもできる。また、全開を検出したら、強制的にジョブを取り消して、携帯型記憶媒体に対する情報の書き込み又は情報の読み出しを即時中断し警告ダイアログ（図８（ｂ）参照）を表示することにより、メディアカードの破壊から守ることができる。
【０１０３】
また、本実施形態において携帯型記憶媒体は機械操作部に組み込み可能なものを想定しているが、外部のロック可能なストレージデバイスも同様に扱うことができる。こちらは、簡単にロック解除できないので、半開制御は不要であるようにすることができる。
【０１０４】
さらに、ロック制御をしないようにも設定できる。ロックがなければ、いつでもメディアスロットを使うことができる。このモードは、メディアカードの操作に理解がある少人数で使用するのに適している。
【０１０５】
さらには、メディアロック制御するとき、ジョブ開始時にすてにカバーが開いていたら警告ダイアログを開いてカバーを閉じるよう促してもよい。メディアカードがない場合は無条件で警告ダイアログを表示してもよい。
【０１０６】
以上、実施形態に基づき本発明の説明を行ってきたが、上記実施形態にあげたその他の要素との組み合わせなど、ここで示した要件に本発明が限定されるものではない。これらの点に関しては、本発明の主旨をそこなわない範囲で変更することが可能であり、その応用形態に応じて適切に定めることができる。
【図面の簡単な説明】
【０１０７】
【図１】本発明の実施形態におけるデジタル複写機の概略構成を示すブロック図である。
【図２】本発明の実施形態におけるデジタル複写機の機能構成の一例を示すブロック図である。
【図３】本発明の実施形態におけるデジタル複写機の動作の一例を示すシーケンス図である。
【図４】ログインしたユーザ用のセッション画面の一例である。
【図５】メディアアクセス可否の表示画面の一例である。
【図６】メディアアクセス制御に係る動作の一例を示すフローチャート図である。
【図７】メディアアクセス制御に係る表示画面の例である。
【図８】メディアアクセス制御に係る表示画面の別の例である。
【符号の説明】
【０１０８】
１    デジタル複写機
１４    外部記憶装置
１５    外部メディア入出力装置
１５Ａ    第１の外部メディア入出力装置
１５Ｂ    第２の外部メディア入出力装置
１６    カバーロック機構
１７    印刷装置
１８    画像読取装置
１９    表示装置
２０    入力装置
１０１    入力制御部
１０２    表示制御部
１０３    ログイン／ログオフ検知部
１０４    ユーザ情報管理部
１０５    セッション管理部
１０６    ジョブ制御部
１０７    ジョブ管理部
１０８    メディアアクセス制御部
１０９    ロック制御部
１１０    アクセスユーザ情報管理部
【図１】
2009010658.tif 000003
【図２】
2009010658.tif 000004
【図３】
2009010658.tif 000005
【図４】
2009010658.tif 000006
【図５】
2009010658.tif 000007
【図６】
2009010658.tif 000008
【図７】
2009010658.tif 000009
【図８】
2009010658.tif 000010